(57)【要約】【課題】本発明は、ディスク装着時のユーザのミスによるディスクの破損を防止することが可能な光ディスク装置及び電子機器を提供する。【解決手段】光ディスク装置１００のドロワー部１２は、高さ制限部１９に続いて、ドロワーフレーム１５に隣接した筐体１１側の部位には支持部２０を形成している。この結果、ユーザがディスクＢを装着する際の手ぶれやディスクＢを保持するユーザの手を考慮して、ノート型パソコンＡの本体１から所定距離だけ離れた箇所にドロワーフレーム１５が位置することとなり、ディスク装着時のユーザのミスによるディスクの破損を防止することができる。【選択図】　図３
2004103192.tif 000002
【特許請求の範囲】
【請求項１】
ディスクに回転を伝えるディスク受け及び情報記録および／または再生を行う光ディスク装置において、
当該光ディスク装置の周囲を覆う筐体と、
ディスクが載置されるディスク載置部を有し、前記ディスク載置部にディスクを載置可能な第１の位置とディスクに情報を記録および／または再生可能な第２の位置との間を移動可能に設けたドロワー部と、
前記ドロワー部が前記第１の位置にある時に前記筐体と前記ディスク載置部との間に形成され、前記ディスク載置部を前記筐体から前記載置するディスクの略４分の１以上の距離だけ少なくとも離れた位置に支持する支持部と、
を有することを特徴とする光ディスク装置。
【請求項２】
ディスクに回転を伝えるディスク受け及び情報記録および／または再生を行う光ディスク装置を搭載した形態可能な電子機器において、
前記電子機器の本体と、
前記光ディスク装置に設けられ、ディスクが載置されるディスク載置部を有し、前記ディスク載置部にディスクを載置可能な第１の位置とディスクに情報を記録および／または再生可能な第２の位置との間を移動可能に設けたドロワー部と、
前記光ディスク装置に設けられ、前記ドロワー部が前記第１の位置にある時に、前記本体と前記ディスク載置部との間に形成され、前記ディスク載置部を前記電子機器本体から前記載置するディスクの略４分の１以上の距離だけ少なくとも離れた位置に支持する支持部と、
を有することを特徴とする電子機器。
【請求項３】
ディスクに回転を伝えるディスク受け及び情報記録および／または再生を行う光ディスク装置を搭載した形態可能な電子機器において、
前記電子機器の本体と、
前記光ディスク装置に設けられ、ディスクが載置されるディスク載置部を有し、前記ディスク載置部にディスクを載置可能な第１の位置とディスクに情報を記録および／または再生可能な第２の位置との間を移動可能に設けたドロワー部と、
前記ドロワー部が移動可能に設けられた箇所に隣接する前記本体に設けられ、前記本体に収納された前記ドロワー部の一部をカバーする第１の位置と前記ドロワー部上から退けられた第２の位置との間を移動可能の設けたカバー部材と、
前記光ディスク装置に設けられ、前記ドロワー部が前記第１の位置にある時に前記本体と前記ディスク載置部との間に位置し、かつ前記カバー部材が第２の位置に退けられた時に露出するよう形成されており、前記ディスク載置部を前記電子機器本体から所定距離だけ離れた位置に支持する支持部と、
を有することを特徴とする電子機器。
【請求項４】
ディスクに回転を伝えるディスク受け及び情報記録および／または再生を行う光ディスク装置において、
当該光ディスク装置の周囲を覆う筐体と、
ディスクが載置されるディスク載置部を有し、前記ディスク載置部にディスクを載置可能な第１の位置とディスクに情報を記録および／または再生可能な第２の位置との間を移動可能に設けたドロワー部と、
前記ドロワー部が第１の位置にある時、前記ディスク載置部の少なくとも一部を上方へ持ち上げる移動部材と、
を有することを特徴とする光ディスク装置。
【請求項５】
前記移動部材は、前記ドロワー部の一部を支点として前記ディスク載置部を傾斜させることを特徴とする請求項４記載の光ディスク装置。
【請求項６】
前記移動部材は、前記ドロワー部が前記第１の位置にある時に前記筐体と前記ディスク載置部との間に形成されていることを特徴とする請求項５記載の光ディスク装置。
【請求項７】
ディスクに回転を伝えるディスク受け及び情報記録および／または再生を行う光ディスク装置を搭載した電子機器において、
前記電子機器の本体と、
前記光ディスク装置に設けられ、ディスクが載置されるディスク載置部を有し、前記ディスク載置部にディスクを載置可能な第１の位置とディスクに情報を記録および／または再生可能な第２の位置との間を移動可能に設けたドロワー部と、
前記光ディスク装置に設けられ、前記ドロワー部が第１の位置にある時、前記ディスク載置部の少なくとも一部を上方へ持ち上げる移動部材と、
を有することを特徴とする電子機器。
【請求項８】
前記移動部材は、前記ドロワー部の一部を支点として前記ディスク載置部を傾斜させることを特徴とする請求項７記載の電子機器。
【請求項９】
前記移動部材は、前記ドロワー部が前記第１の位置にある時に前記筐体と前記ディスク載置部との間に形成されていることを特徴とする請求項８記載の電子機器。
【発明の詳細な説明】
【０００１】
【発明の属する技術分野】
本発明は、光ディスクなどの記録媒体を用いてデータの読み出しや書きこみを行う光ディスク装置及びこれを搭載した電子機器に関し、特に光ディスクの装着時に、光ディスクの損傷を防止する構造に関する。
【０００２】
【従来の技術】
従来、コンパクトディスク（以下、ＣＤという）、ミニディスク（以下、ＭＤという）などのディスク媒体を使用してデータの読み出しや書きこみを行う記録再生装置が広く普及している。このような記録再生装置の普及に伴って、ディスクをより安定して装着できる機構が求められてきている。
【０００３】
例えば従来の技術として、特開平５−１１６９２５号公報には、ディスクの直径よりも大きい内径を有するディスク収納凹部とディスク支持部材を有し、ディスクの挿抜を容易とし、縦置きにも横置きにも兼用できるディスク装置の構成が開示されている。
【０００４】
【特許文献１】
特開平５−１１６９２５号公報（第１図）
【０００５】
【発明が解決しようとする課題】
しかしながら、従来の装置では、ディスク収納凹部の内径を多少大きく取ったとしても、ディスク収納凹部の端部と筐体との距離がある程度離れていないと、ディスクを装着する際に、ユーザの手ぶれや目視感覚によって、筐体にディスク（特にディスクの記録面）をぶつけてしまい、記録面を傷付けてしまう恐れがあった。
本発明は、以上の点に鑑みなされたもので、ディスク装着時のユーザのミスによるディスクの破損を防止することが可能な光ディスク装置及び電子機器を提供することを目的とする。
【０００６】
【課題を解決するための手段】
上記目的を達成するために、本発明の光ディスク装置は、ディスクに回転を伝えるディスク受け及び情報記録および／または再生を行う光ディスク装置において、当該光ディスク装置の周囲を覆う筐体と、ディスクが載置されるディスク載置部を有し、前記ディスク載置部にディスクを載置可能な第１の位置とディスクに情報を記録および／または再生可能な第２の位置との間を移動可能に設けたドロワー部と、前記ドロワー部が前記第１の位置にある時に前記筐体と前記ディスク載置部との間に形成され、前記ディスク載置部を前記筐体から前記載置するディスクの略４分の１以上の距離だけ少なくとも離れた位置に支持する支持部と、を有することを特徴とする。
【０００７】
上記目的を達成するために、本発明の電子機器は、ディスクに回転を伝えるディスク受け及び情報記録および／または再生を行う光ディスク装置を搭載した形態可能な電子機器において、前記電子機器の本体と、前記光ディスク装置に設けられ、ディスクが載置されるディスク載置部を有し、前記ディスク載置部にディスクを載置可能な第１の位置とディスクに情報を記録および／または再生可能な第２の位置との間を移動可能に設けたドロワー部と、前記光ディスク装置に設けられ、前記ドロワー部が前記第１の位置にある時に、前記本体と前記ディスク載置部との間に形成され、前記ディスク載置部を前記電子機器本体から前記載置するディスクの略４分の１以上の距離だけ少なくとも離れた位置に支持する支持部と、を有することを特徴とする。
【０００８】
上記目的を達成するために、本発明の電子機器は、ディスクに回転を伝えるディスク受け及び情報記録および／または再生を行う光ディスク装置を搭載した形態可能な電子機器において、前記電子機器の本体と、前記光ディスク装置に設けられ、ディスクが載置されるディスク載置部を有し、前記ディスク載置部にディスクを載置可能な第１の位置とディスクに情報を記録および／または再生可能な第２の位置との間を移動可能に設けたドロワー部と、前記ドロワー部が移動可能に設けられた箇所に隣接する前記本体に設けられ、前記本体に収納された前記ドロワー部の一部をカバーする第１の位置と前記ドロワー部上から退けられた第２の位置との間を移動可能の設けたカバー部材と、前記光ディスク装置に設けられ、前記ドロワー部が前記第１の位置にある時に前記本体と前記ディスク載置部との間に位置し、かつ前記カバー部材が第２の位置に退けられた時に露出するよう形成されており、前記ディスク載置部を前記電子機器本体から所定距離だけ離れた位置に支持する支持部と、を有することを特徴とする。
【０００９】
上記目的を達成するために、本発明の光ディスク装置は、ディスクに回転を伝えるディスク受け及び情報記録および／または再生を行う光ディスク装置において、当該光ディスク装置の周囲を覆う筐体と、ディスクが載置されるディスク載置部を有し、前記ディスク載置部にディスクを載置可能な第１の位置とディスクに情報を記録および／または再生可能な第２の位置との間を移動可能に設けたドロワー部と、前記ドロワー部が第１の位置にある時、前記ディスク載置部の少なくとも一部を上方へ持ち上げる移動部材と、を有することを特徴とする。
【００１０】
上記目的を達成するために、本発明の電子機器は、ディスクに回転を伝えるディスク受け及び情報記録および／または再生を行う光ディスク装置を搭載した電子機器において、前記電子機器の本体と、前記光ディスク装置に設けられ、ディスクが載置されるディスク載置部を有し、前記ディスク載置部にディスクを載置可能な第１の位置とディスクに情報を記録および／または再生可能な第２の位置との間を移動可能に設けたドロワー部と、前記光ディスク装置に設けられ、前記ドロワー部が第１の位置にある時、前記ディスク載置部の少なくとも一部を上方へ持ち上げる移動部材と、を有することを特徴とする。
【００１１】
【発明の実施の形態】
以下、本発明に係る実施の形態について図面を参照して詳細に説明する。図１は、本発明の一実施の形態に係る光ディスク装置を搭載した電子機器としてのノート型パーソナルコンピュータＡ（以下ノート型パソコンと称す）の斜視図である。
【００１２】
ノート型パソコンＡの本体１は樹脂製の上ケース２および樹脂製の下ケース３を有している。本体１の上面にはキーボード９が搭載されている。本体１の上面前部（キーボード９の前側）はユーザーがキーボード９へのデータ入力の際に掌を置くためのパームレスト７が形成される。
【００１３】
本体１の後部には一対のヒンジ部５ａ、５ｂを介して表示装置４が開閉可能に接続されている。表示装置４にはデータを表示するためのＬＣＤ６が内蔵されている。また、本体１には、光ディスク装置１０が内蔵されており、本体１のサイド部からスライドして光ディスクＢの出し入れが可能となっている。
【００１４】
次に図２乃至図４を用いて、ノート型パソコンＡへ搭載される光ディスク装置１０の第１の実施例１００を説明する。図２は光ディスク装置１００の斜視図であり、図３は光ディスク装置１００を搭載したノート型パソコンＡにおいて、筐体（キャビネット）１１からドロワー部１２が引き出され、光ディスクを装着する状態の斜視図である。
【００１５】
図２及び図３に示す光ディスク装置１００の筐体１１は、ドロワー部１２が引き出される方向が開口した箱状を有し、底部筐体（ボトムキャビネット）１１Ａ、この底部筐体を覆うように取り付けられる天板部（トップキャビネット）１１Ｂを有する。
【００１６】
筐体１１の背面側の内部には、ドライブ装置を制御する制御回路を搭載したＰＣ（プリント配線）ボードが配置される。また、ＰＣボードに接続されたフレキシブルケーブル、ソレノイド等も配置されている。
【００１７】
底部筐体１１Ａの内部の両側面には第１のスライドホルダが夫々設けられ、この第１のスライドホルダには、夫々スライド１４がスライド可能に設けられている。そして、このスライド１４に対して、ドロワー部１２に設けられた第２のスライドホルダ１３がスライド可能に取り付けられている。
【００１８】
図では、一方の側面のスライド機構が現れているが、他方の側面も同様な機構が設けられている。これにより、ドロワー部１２は、筐体１１に対して図示矢印Ｘ−Ｘ’方向へ、筐体１１内に収納された第１の位置から、図２及び図３に示す第２の位置まで移動自在である。
【００１９】
ドロワー部１２は、ドロワーフレーム１５を有する。このドロワーフレーム１５は、平坦部１６の面に近接して光ディスクが配置されるほぼ円形領域１７を有し、領域の周囲の少なくとも一部で盛り上がるように一体形成された周囲部１８に対して、平坦部１６からの高さが、円形領域１７の所定位置に配置されチャッキングされた時の光ディスクＢの例えば上面とほぼ同じ高さ以下になる高さ制限部１９を形成している。
【００２０】
また、ドロワー部１２は、この高さ制限部１９に続いて、ドロワーフレーム１５に隣接した筐体１１側の部位には、後述する寸法を有する支持部２０を形成している。
【００２１】
ドロワーフレーム１５の平坦部１６の中央部には平坦部１６と略同一面に位置するようにシャーシ２３が配置されている。このシャーシ２３に開設された穴には、光ディスクＢを回転駆動するためのターンテーブル２４が露出している。ターンテーブル２４を回転するためのディスクモータは、シャーシ２３の下面に取り付けられている。
【００２２】
更に、シャーシ２３には、ピックアップユニット２５の光学ヘッド部からの光ビームが通過するように、細長開口が形成されている。ピックアップユニット２５は、細長開口の長手方向に沿ってシャーシ２３の下部で往復移動（図示矢印Ｙ−Ｙ’方向）できるようになっている。
【００２３】
そのためのシャフト、ギア機構及びフィードモータなどがシャーシ２３の下部に設けられており、電気的な接続を行う部分には、フレキシブルケーブルが利用され、先のＰＣボードに電気接続されている。
【００２４】
ドロワー部１２が筐体１１内に挿入された時は、ドロワー部１２に設けられているベーゼル板２７が筐体１１の開口を閉じるようになっている。
【００２５】
図４は、光ディスク装置１００における支持部２０の形状について説明するための概略図であり、光ディスク装置１００を上面から見た図である。
【００２６】
図４に示す光ディスク装置１００において、ユーザがディスクＢを装着する際の手ぶれやディスクＢを保持するユーザの手を考慮して、支持部２０の寸法ｂを約１ｃｍより大きい（即ちディスクＢの半径寸法ａの約４分の１以上）でかつディスクＢの半径寸法ａ以内からなる寸法で形成することにより、本発明の目的、効果を達成できる。
【００２７】
本実施例における支持部２０の寸法ｂは、特に支持部２０の耐久性を考慮して、ディスクＢの半径寸法ａ＝５ｃｍ強であるのに対して、ディスクＢの半径寸法ａの２分の１の約２．５ｃｍ〜３ｃｍほどの大きさに形成している。
【００２８】
この結果、ユーザがディスクＢを装着する際の手ぶれやディスクＢを保持するユーザの手を考慮して、ノート型パソコンＡの本体１から所定距離だけ離れた箇所にドロワーフレーム１５が位置することとなり、ディスク装着時のユーザのミスによるディスクの破損を防止することができる。
【００２９】
次に、図５及び図６を用いて、上述した光ディスク装置１００を搭載したノート型パソコンＡの他の実施例を示す図で、筐体（キャビネット）１１からドロワー部１２が引き出され、光ディスクを装着する状態の斜視図である。
【００３０】
尚、ノート型パソコンＡに搭載されている光ディスク装置１００については図２乃至図４で説明したものと同様のため、説明は省略する。
【００３１】
上述した実施例が、光ディスク装置１００の支持部２０全体をドロワー部１２と一緒にノート型パソコンＡの本体１外部へ引き出す構造であるのに対して、本実施例は、ノート型パソコンＡの本体１の一部ケースを移動・除去することにより、支持部２０を露出させるよう形成した構造である点で異なる。
【００３２】
図５に示すノート型パソコンＡにおいて、搭載された光ディスク装置１００からドロワー部１２が引き出された際、支持部２０は若干外部へ露出する程度に引き出される。
【００３３】
また、ノート型パソコンＡの本体１のサイド部で、光ディスク装置１の引き出し口の上部にあたる上ケース２部分には、カバー部材３０が取り付けられており、図５に示す第１の位置から、図６に示す第２の位置まで、矢印方向にめくれるようになっている。
【００３４】
そして、図６に示すように、ノート型パソコンＡにおいて、搭載された光ディスク装置１００からドロワー部１２を引き出した際に、カバー部材３０をめくり上げることによって、支持部２０が露出するように形成されている。
【００３５】
この際、露出する支持部２０の寸法ｂは、上述した通り、約１ｃｍより大きく形成することにより本発明の目的、効果を達成でき、本実施例においては、ディスクＢの半径寸法ａ＝５ｃｍ強であるのに対して、ディスクＢの半径寸法ａの２分の１から３分の１の大きさである、約１．５ｃｍ〜２．５ｃｍほどの大きさに形成している。
【００３６】
この結果、ユーザがディスクＢを装着する際の手ぶれやディスクＢを保持するユーザの手を考慮して、ノート型パソコンＡの本体１から所定距離だけ離れた箇所にドロワーフレーム１５が位置することとなり、ディスク装着時のユーザのミスによるディスクの破損を防止することができる。
【００３７】
次に図７乃至図９を用いて、ノート型パソコンＡへ搭載される光ディスク装置１０の第２の実施例２００を説明する。図７は光ディスク装置２００の斜視図であり、図８は光ディスク装置２００を搭載したノート型パソコンＡにおいて、筐体（キャビネット）１１からドロワー部１２が引き出され、光ディスクを装着する状態の斜視図である。
【００３８】
尚、光ディスク装置２００は、第１の実施例である光ディスク装置１００の支持部２０の点で異なっており、その他の部分は同様の構造のため説明を省略する。
【００３９】
図７及び図８に示す光ディスク装置２００は、ドロワー部１２の高さ制限部１９に続いて、ドロワーフレーム１５に隣接した筐体１１側の部位に切り込みが形成されており、接続部材４０で接続されている。
【００４０】
また、スライド１４は短く形成されており、ドロワー部１２がいっぱいに引き出された際に、切り込み部のところでスライド１４から外れるようになっている。そして、切り込み部には、ドロワーフレーム１５が切り込み部分の接続部材４０を支点として上方に跳ね上がり、ディスクを載置する部分が少なくとも傾斜するよう、バネからなる移動部材４１が掛け合わされている。
【００４１】
そして、筐体（キャビネット）１１にドロワー部１２が収納されている時には、ドロワーフレーム１５部分は天板部（トップキャビネット）１１Ｂによって下方向に押圧され、図９（ａ）に示すように、ドロワー部１２はまっすぐな状態で収納されている。
【００４２】
また、筐体（キャビネット）１１からドロワー部１２が引き出されると、移動部材４１の作用によって、図９（ｂ）に示すように、ドロワーフレーム１５が、切り込み部分の接続部材４０を支点として上方に跳ね上がる。ここで、ドロワーフレーム１５が筐体１１、あるいは光ディスク装置２００の内蔵されるノート型パソコンＡの本体１よりも高い位置に跳ね上がるとより効果的である。
【００４３】
この結果、ユーザがディスクＢを装着する際の手ぶれやディスクＢを保持するユーザの手を考慮して、ディスクＢを装着する際、ディスクＢ上面を筐体１１あるいはノート型パソコンＡ側に、ディスクＢ記録面を斜めに跳ね上がったドロワーフレーム１５側に向けた状態にディスクＢをやや斜めにかしげて装着する事となり、ディスク装着時のユーザのミスによるディスクの特に記録面の破損を防止することができる。
【００４４】
特に、ドロワーフレーム１５が、筐体１１あるいは光ディスク装置２００が内蔵されるノート型パソコンＡの本体１よりも高い位置まで跳ね上がることにより、より高い確率でディスク装着時のユーザのミスによるディスクの特に記録面の破損を防止することができる。
【００４５】
尚、移動部材４１の作用によって図９（ｂ）に示すように上方に跳ね上がる部位は、本実施例のように、ドロワー部１２背面部に配置されたＰＣボード等を共に上方に移動する構造でもよいが、ドロワーフレーム１５、特に、ドロワー部１２のシャーシ２３、ターンテーブル２４、ピックアップユニット２５、ベーゼル板２７を除く、円形領域１７、周囲部１８、及び高さ制限部１９が上方に移動する構造であっても同様の作用、効果を奏する。
【００４６】
次に図１０乃至図１２を用いて、ノート型パソコンＡへ搭載される光ディスク装置１０の第３の実施例３００を説明する。図１０は光ディスク装置３００の斜視図であり、図１１は光ディスク装置３００を搭載したノート型パソコンＡにおいて、筐体（キャビネット）１１からドロワー部１２が引き出され、光ディスクを装着する状態の斜視図である。図１２は、図１０及び図１１において矢印Ｚ方向からの概略図である。
【００４７】
尚、光ディスク装置３００は、第２の実施例である光ディスク装置２００の跳ね上がる構造が異なっており、その他の基本的部分は同様な構造であるため、一部説明を省略する。
【００４８】
図１０及び図１１に示す光ディスク装置３００は、本実施例では、スライド１４に対して、ドロワー部１２の背面に設けられ、ＰＣボードを覆う図示せぬカバー部材に設けられた第２のスライドホルダ５０がスライド可能に取り付けられている。また、ドロワー部１２には、第２のスライドホルダ５０と共にスライド１４に挟み込み、スライド可能となる引掛け部５１が形成されている。
【００４９】
図では、一方の側面のスライド機構が現れているが、他方の側面も同様な機構が設けられている。但し、他方の側面にもうけら得た引掛け部５１は、他方の側面の第２のスライドホルダ５０と接続され、図示せぬ移動部材を含む支軸５２を形成している。
【００５０】
そして、ドロワー部１２は、筐体１１に対して図示矢印Ｘ−Ｘ’方向へ移動自在となり、かつ、ドロワー部１２が一杯に引き出された際には、引っ掛け部５１がスライド１４から外れ、支軸５２を中心として、ドロワー部１２のシャーシ２３、ターンテーブル２４、ピックアップユニット２５、ベーゼル板２７を除く、円形領域１７、周囲部１８、及び高さ制限部１９が矢印方向に跳ね上がるように移動可能な構造となる。
【００５１】
そして、筐体（キャビネット）１１にドロワー部１２が収納されている時には、ドロワーフレーム１５部分は引掛け部５１がスライド１４によって挟持され、図１２（ａ）に示すように、ドロワー部１２の円形領域１７、周囲部１８、及び高さ制限部１９の部分はまっすぐな状態で収納されている。
【００５２】
また、筐体（キャビネット）１１からドロワー部１２が引き出されると、例えば、移動部材の作用によって、図１２（ｂ）に示すように、ドロワーフレーム１５（円形領域１７、周囲部１８、及び高さ制限部１９）が、支軸５２を支点として上方に跳ね上がる。
【００５３】
ここで、ドロワーフレーム１５（円形領域１７、周囲部１８、及び高さ制限部１９）が筐体１１、あるいは光ディスク装置３００の内蔵されるノート型パソコンＡの本体１よりも高い位置に跳ね上がるとより効果的である。
【００５４】
この結果、ユーザがディスクＢを装着する際の手ぶれやディスクＢを保持するユーザの手を考慮して、ディスクＢを装着する際、ディスクＢ記録面を跳ね上げられた円形領域１７に載置し、そのまま平行な位置まで押すことにより、ターンテーブル２４にディスクＢを装着して、引っ掛け部５１をスライド１４に差込み、そのままドロワー部１２をスライドさせて収納する事となり、ディスク装着時のユーザのミスによるディスクの特に記録面の破損を防止することができる。
【００５５】
特に、ドロワーフレーム１５（円形領域１７、周囲部１８、及び高さ制限部１９）が、筐体１１あるいは光ディスク装置３００が内蔵されるノート型パソコンＡの本体１よりも高い位置まで跳ね上がることにより、より高い確率でディスク装着時のユーザのミスによるディスクの特に記録面の破損を防止することができる。
【００５６】
【発明の効果】
以上説明したように、本発明によれば、ディスク装着時のユーザのミスによるディスクの破損を防止することができる。
【図面の簡単な説明】
【図１】ノート型パーソナルコンピュータＡの斜視図。
【図２】光ディスク装置１０の第１の実施例１００を示す斜視図。
【図３】光ディスク装置１０の第１の実施例１００を使用したノート型パソコンの一部を示す斜視図。
【図４】光ディスク装置１０の第１の実施例１００を説明するための概略図。
【図５】光ディスク装置１０の第１の実施例１００を搭載したノート型パソコンの他の実施例の一部を示す斜視図。
【図６】光ディスク装置１０の第１の実施例１００を搭載したノート型パソコンの他の実施例の一部を示す斜視図。
【図７】光ディスク装置１０の第２の実施例２００を示す斜視図。
【図８】光ディスク装置１０の第２の実施例２００を使用したノート型パソコンの一部を示す斜視図。
【図９】光ディスク装置１０の第２の実施例２００を説明するための概略図。
【図１０】光ディスク装置１０の第３の実施例３００を示す斜視図。
【図１１】光ディスク装置１０の第３の実施例３００を使用したノート型パソコンの一部を示す斜視図。
【図１２】光ディスク装置１０の第３の実施例３００を説明するための概略図。
【符号の説明】
Ａ　　電子機器、ノート型パソコン
Ｂ　　ディスク
１　　電子機器、ノート型パソコンの本体
２、３　　電子機器、ノート型パソコンのケース
４　　表示装置
５ａ、５ｂ　　ヒンジ部
６　　ＬＣＤ
７　　パームレスト
９　　キーボード
１０、１００、２００　　光ディスク装置
１１　　筐体（キャビネット）
１２　　ドロワー部
１３、５０　　第２のスライドホルダー
１４　　スライド
１５　　ドロワーフレーム
１６　　平坦部
１７　　円形領域
１８　　周囲部
１９　　高さ制限部
２０　　支持部
２３　　シャーシ
２４　　ターンテーブル
２５　　ピックアップユニット
２７　　ベーゼル板
３０　　カバー部材
４０　　接続部材
４１　　移動部材
５１　　引掛け部
５２　　支軸
【図１】
2004103192.tif 000003
【図２】
2004103192.tif 000004
【図３】
2004103192.tif 000005
【図４】
2004103192.tif 000006
【図５】
2004103192.tif 000007
【図６】
2004103192.tif 000008
【図７】
2004103192.tif 000009
【図８】
2004103192.tif 000010
【図９】
2004103192.tif 000011
【図１０】
2004103192.tif 000012
【図１１】
2004103192.tif 000013
【図１２】
2004103192.tif 000014